(57)【要約】【目的】本発明はマンホールの側面孔の底面高を規定高さにて維持したまま、推進管が左または右に偏向して到達しても一定の範囲内にて受入れることができ、また側面孔のあと補修の面積を最小限にするようにしたマンホールにおける推進管到達口の可とう継手を新規に提供することを目的とするものである。【構成】本発明はマンホールの推進管到達口として形成する側面孔を推進管のずれ到達に応じられるように左右方向に拡げた小判形に形成して、該側面孔に規定の底面高を維持させるとともに埋め補修面積を最小限にすることを特徴とするマンホールにおける推進管到達口の可とう継手にある。【選択図】　　　　図１
2004100801.tif 000002
【特許請求の範囲】
【請求項１】
マンホールの推進管到達口として形成する側面孔を推進管のずれ到達に応じられるように左右方向に拡げた小判形に形成して、該側面孔に規定の底面高を維持させるとともに埋め補修面積を最小限にすることを特徴とする推進管用マンホールにおける到達管受入口の可とう継手。
【請求項２】
取付板と該取付板に設けた円形中ぐり部より外側に向けて設ける受入筒よりなる可とう継手を前記側面孔に内側から取付けて、前記受入筒と該受入筒内に嵌入する推進管端間をゴム輪のバンド締めにて接続する請求項１記載の可とう継手。
【請求項３】
円形中ぐり部と受入筒を右または左にずらして設けた請求項２記載の可とう継手。
【請求項４】
受入筒の外端に推進管の誘導を兼ねる花びら形をしたゴム輪保護弁を設けた請求項１乃至３のいずれかに記載の可とう継手。
【発明の詳細な説明】
【０００１】
【発明が属する技術分野】
この発明は推進管用マンホールにおける到達管受入口の可とう継手に関するものである。
【０００２】
【従来の技術】
マンホールの到達管受入口となる側面孔は推進管が当初計画より左右のいずれかにずれて到達することが多いために予め図１０に示すように大きく形成している。
【０００３】
【発明が解決しようとする課題】
しかしながら、側面孔を予め大きく形成することはマンホールの底盤上面と側面孔の底面間との距離、すなわち側面孔の底面高ｈが低くなって規定の高さにするために推進管到達後に大きな補修をしなければならないという課題がある。
【０００４】
【課題を解決するための手段】
本発明はマンホールの推進管到達口として形成する側面孔を推進管のずれ到達に応じられるように左右方向に拡げた小判形に形成して、該側面孔に規定の底面高を維持させるとともに埋め補修面積を最小限にするようにして、かかる課題を解決するようにしたのである。
【０００５】
【発明の実施の形態】
マンホール１の底盤２上の側面孔３を中心３ａから左右に一定間隔を置いた３ｂ，３ｃの点で真円を画いた状態で左右方向に拡げた小判形にて形成する。底盤２の上面と側面孔３の底面との間の高さ、すなわち側面孔３の底面高Ｈは規定高を維持することとなる。
【０００６】
この側面孔３に図２に示すように内側から金属製の可とう継手４を嵌付ける。５は取付板であり、６は円形中ぐり部、７は推進管８端の受入筒、９は取付用のアンカーボルト、１０は水膨張性シール材である。この受入筒７は図３に示すように取付板５の中心に位置する円形中ぐり部６ａより外方に向けて設けるもののほか、図４（ａ）示すように左方向に移動した芯３ｂに相応して画いた中ぐり部６ｂに沿って外方に張り出すものを形成し、図４（ｂ）は、これを１８０度反転させて右方向に移動張出ししたものを示している。
【０００７】
推進管８端が右方向、左方向のいずれかに芯ずれして到達することに合わせて、図６（ｂ）（ｃ）に示すように左右に受入筒７をずらした可とう継手４を選択してマンホール１の側面孔３に内側からアンカー９止め嵌付けするのであるが、左右への芯ずれがわずかである場合には図５（ａ）（ｂ）に示すように受入筒７を中心に取付けた可とう継手４を左右にずらして取付けることによって対応することができる。取付板５に図３（ａ）に示すような切目５ａを設けたので弯曲変形が許容されて左右にずらしたときもマンホール１の内側にぴったり沿って取付けることができる。図７に示すように側面孔３と受入筒７間の間隙はセメントモルタル１１の詰入れし、内側を絞り細めた漏斗形のゴム輪１２の折返し端１２ａを受入筒７の外端に掛止して内側に嵌入れる。１３はゴム輪の締付けバンドである。
【０００８】
また嵌入したゴム輪１２の外側に推進管８の誘導を兼ねる花びら形をしたゴム輪保護弁１４を嵌め、当て止め体１５のボルト１６止めにて固定する。推進管８はゴム輪保護弁１４よりゴム輪１２内に圧入し、バンド１７止めしてからバックアップ材１８の嵌入とセメントモルタル等の充填材１９の詰入れにて隙間を埋めるのである。なおゴム輪保護弁１４は受入筒７内への土砂の進入を防止する効果もある。
【０００９】
図８乃至図９はマンホール１の外側空間が狭い場合に受入筒７を短く形成した例を示すもので、受入筒７の内面中間に内側から拡開押し部材２０にてコ形ゴム輪２１を取付けている。２２はボルト２３に取付け取外しする仮止め蓋である。仮止め蓋２２を外して推進管８を受入れてコ形ゴム輪２１をバンド１７締めするのである。なお側面孔３を左右に拡げた小判形に形成すること、受入筒７を左右にずらしたものを設けることは前例に同じである。
【００１０】
【発明の効果】
本発明は以上のようにして、マンホールの側面孔の底面高を規定高さにて維持したまま、推進管が左または右に偏向して到達しても一定の範囲内にて受入れることができ、また側面孔のあと補修の面積を最小限にすることができるという効果を生ずる。
【図面の簡単な説明】
【図１】マンホールの側面孔を左右にのみ拡げた小判形にて形成した推進管到達口として設けた状態を示す正面図
【図２】同、側面孔に可とう継手を取付けた状態を示す部分平面図
【図３】（ａ）は可とう性継手の正面図、（ｂ）は横断平面図
【図４】（ａ）（ｂ）は受入筒を左または右にずらして設けた例を示す正面図
【図５】（ａ）（ｂ）は受入筒を中心に設けた可とう継手を左まては右にわずかにずらして取付けた状態を示す横断平面図
【図６】（ａ）（ｂ）（ｃ）は受入筒を中心と左右にずらして設けた可とう継手の取付け状態を比較する説明図。
【図７】ゴム輪、ゴム輪保護弁等を取付けて推進管端を接続した状態を示す横断平面図
【図８】マンホールの外側空間が狭い場合の受入筒を短く形成した例を示すもので、仮止め蓋により受入筒の開口を保護している状態を示す横断平面図
【図９】同、推進管を接続した状態を示す横断平面図
【図１０】従来の側面孔の形成例を示す正面図
【符号の説明】
１はマンホール
２は底盤
３は側面孔
３ａは側面孔の円の中心
３ｂ，３ｃは左または右にずれた円の中心
４は可とう継手
５は取付板
５ａは切目
６は円形中ぐり部
６ａは中心に設けた円形中ぐり部
６ｂは左に中心をずらした円形中ぐり部
６ｃは右に中心をずらした円形中ぐり部
７は受入筒
８は推進管
９はアンカー
１０は水膨張性シール材
１１はセメントモルタル
１２はゴム輪
１３は締付けバンド
１４はゴム輪保護弁
１５は当て止め体
１６はボルト
１７はバンド
１８はバックアップ材
１９は充填材
２０は拡開押し部材
２１はコ形ゴム輪
２２は仮止め蓋
２３はボルト
【図１】
2004100801.tif 000003
【図２】
2004100801.tif 000004
【図３】
2004100801.tif 000005
【図４】
2004100801.tif 000006
【図５】
2004100801.tif 000007
【図６】
2004100801.tif 000008
【図７】
2004100801.tif 000009
【図８】
2004100801.tif 000010
【図９】
2004100801.tif 000011
【図１０】
2004100801.tif 000012